(57)【要約】【課題】フッキングを必要とするときに、先端部による腸管のフッキング力を安全にかつ十分に確保することができ、挿入部を深部に円滑に挿入する。【解決手段】本発明の内視鏡用先端キャップ３は、キャップ本体３Ａと、キャップ本体３Ａを挿入部６の先端部８に固定する固定部４と、キャップ本体３Ａの先端側に設けられ、挿入部６の長手方向に沿って前方へ延出して挿入部６の先端側から突出するとともに長手方向に沿って前方あるいは後方への移動可能な線状部材５と連結する線状部材連結部３Ｄと、キャップ本体３Ａの周方向に沿って設けられ、線状部材連結部３Ｄと接続し、線状部材５が挿入部６の長手方向に沿って移動する動作に伴って、キャップ本体３Ａの外周面と管腔の内壁との摩擦力が大きくなる状態になるように変形する変形部３Ｂと、を有する。【選択図】図３
2014108172.tif 000002
【特許請求の範囲】
【請求項１】
管腔に挿入する内視鏡の挿入部の先端側に取り付けられるキャップ本体と、
前記キャップ本体の基端側に設けられ、前記挿入部の先端側外周を覆うようにして前記キャップ本体を前記挿入部の先端側に固定する固定部と、
前記キャップ本体の先端側に設けられ、前記挿入部の長手方向に沿って前方へ延出して前記挿入部の先端側から突出するとともに前記長手方向に沿って前記前方あるいは後方への移動可能な線状部材と連結する線状部材連結部と、
前記キャップ本体の周方向に沿って設けられ、前記線状部材連結部と接続され、前記線状部材が前記挿入部の長手方向に沿って移動する動作に伴って、前記キャップ本体の外周面と前記管腔の内壁との摩擦力が大きくなる状態になるように変形する変形部と、
を具備することを特徴とする内視鏡用先端キャップ。
【請求項２】
前記変形部は、前記キャップ本体の長手方向の一部に設けられ、前記線状部材が前記挿入部の長手方向に沿って移動する動作に伴って、前記キャップ本体の外周側が前記挿入部の長手方向に対して伸縮する伸縮部を有することを特徴とする請求項１に記載の内視鏡用先端キャップ。
【請求項３】
前記伸縮部は、前記キャップ本体の外周面上に設けられた複数の孔または溝を有し、これら複数の孔または溝は、前記移動する動作に伴って開閉するように変形することを特徴とする請求項２に記載の内視鏡用先端キャップ。
【請求項４】
前記伸縮部は、前記移動する動作に伴って、前記キャップ本体の外径を拡大させた状態と、前記キャップ本体の外径を基準の状態に戻した状態との間で変形するように動作する拡径部を有し、
この拡径部は、前記拡径部を変形させるための複数の凸状形成部材を有することを特徴とする請求項２に記載の内視鏡用先端キャップ。
【請求項５】
前記複数の凸状形成部材は、板状のばね部材、または２つの板状のリンク部材であることを特徴とする請求項４に記載の内視鏡用先端キャップ。
【請求項６】
前記キャップ本体は、
前記挿入部の先端側に取り付けられる第１の本体と、
前記第１の本体内部に前記挿入部の長手方向に沿って移動可能に装着され、前記線状連結部材が前記挿入部の長手方向に沿って移動することにより、前記第１の本体の先端側から延出し、または前記第１の本体の内部に収容可能であり、外周面に前記変形部が設けられた第２の本体と、
で構成したことを特徴とする請求項１に記載の内視鏡用先端キャップ。
【請求項７】
前記変形部は、前記第２の本体の外周面に設けられた複数の孔または溝であることを特徴とする請求項６に記載の内視鏡用先端キャップ。
【請求項８】
前記変形部は、前記第２の本体の外周面に設けられた複数の突起部であり、
前記第２の本体は、前記第２の本体が前記第１の本体内に収容されたときに前記第２の本体の外周面が平面となるように前記複数の突起部をそれぞれ収納する複数の突起収容部を有することを特徴とする請求項６に記載の内視鏡用先端キャップ。
【請求項９】
前記第１の本体の先端側に設けられ、前記挿入部の長手方向に延出して前記挿入部の先端側から突出するとともに前記長手方向に沿って移動可能な第２の線状部材と連結する第２の線状部材連結部を有し、
前記第１の本体は、前記第２の線状部材が前記挿入部の長手方向に沿って移動する動作に伴って、前記第１の本体が前記挿入部の長手方向に対して湾曲する湾曲部を有することを特徴とする請求項６に記載の内視鏡用先端キャップ。
【請求項１０】
細長い挿入部を備えるとともに、請求項１から請求項８の何れか１項に記載の内視鏡用先端キャップを装着可能な内視鏡であって、
前記挿入部の先端部に設けられ、前記挿入部内に設けられたチャンネルに連通する孔を備えた、前記内視鏡用先端キャップを外周に装着可能な先端部と、
前記内視鏡を操作する操作部から前記挿入部の前記先端部まで挿通され、前記操作部の操作により前記挿入部の長手方向に沿って移動する線状部材と、
前記線状部材の先端に設けられた、前記内視鏡用先端キャップの前記線状部材連結部と接続する接続部と、
を具備したことを特徴とする内視鏡。
【請求項１１】
前記接続部は、前記線状部材が前記挿入部の前記先端部側に移動したとき、前記内視鏡用先端キャップの線状部材連結部と接続するとともに、前記線状部材が移動可能な範囲の最大に前記操作部側に移動したとき、前記チャンネルと連通する前記先端部の孔を塞ぐ蓋部材を有することを特徴とする請求項１０に記載の内視鏡。
【請求項１２】
複数の前記線状部材連結部と、前記複数の線状部材連結部と同数の複数の線状部材とを有する請求項１に記載の内視鏡用先端キャップと、
前記複数の線状部材と同数の前記接続部を有するとともに、前記各線状部材を前記挿入部内部で個々に移動させるための複数の進退操作レバーを前記操作部に設けた請求項１０に記載の内視鏡と、
を具備したことを特徴とする内視鏡システム。
【発明の詳細な説明】
【技術分野】
【０００１】
本発明は、管腔に挿入する内視鏡の挿入部の先端側に取り付けられるキャップ本体を有する内視鏡用先端キャップ装置、内視鏡、および内視鏡装置に関する。  
【背景技術】
【０００２】
周知の如く、内視鏡は、生体の体内の観察、処置など、または工業用のプラント設備内の検査、修理などのため広く用いられている。特に、医療用の内視鏡は、細長の挿入部を体腔内に挿入することにより、切開を必要とすることなく、体腔内の検査対象部位を観察でき、必要に応じ、処置具を用いて治療および処置ができるため広く用いられる。
【０００３】
この医療分野の内視鏡の挿入部の患者の管腔内への挿入性を向上させるため、挿入部を挿通するとともに、膨張または収縮するバルーンを先端側に設けた内視鏡用オーバーチューブを用いて、内視鏡の手技を行うことがある。
【０００４】
このような内視鏡用オーバーチューブを用いて、例えば小腸の内視鏡検査を行う手技の一例として、術者は、管腔の途中で内視鏡用オーバーチューブのバルーンを膨張させた状態で、内視鏡を管腔の深部への挿入し、湾曲部を湾曲させた状態で挿入部の先端部により腸管を把持する（以下、フッキングと称す）手技がある。
【０００５】
その後、術者は、先端部によるフッキング状態のまま、バルーンを収縮させた後、この内視鏡用オーバーチューブを深部へと進め、バルーンを膨張させる。そして、湾曲部を非湾曲状態にしてフッキングを解除した後に、バルーンの膨張により管腔の内壁に保持された状態の内視鏡用オーバーチューブと内視鏡とを引き戻すことにより、管腔内の腸管を短縮させる。このような動作を繰り替えし行うことにより、内視鏡の挿入部を腸内深部へと挿入させる。
【０００６】
内視鏡の挿入部の先端部に取り付けられた挿入補助具を用いて内視鏡の挿入部を管腔の深部へと挿入し易くする内視鏡としては、例えば特許文献１に記載の内視鏡がある。  
この特許文献１に記載の内視鏡は、挿入補助具を構成する、先端部に取り付けられた円筒状に形成されたベース筒と、このベース筒の前端面から軸方向に突出する２枚の挿入補助板と、２枚の挿入補助板と先端部にそれぞれ繋がれているワイヤと、を有して構成される。
【０００７】
そして、この内視鏡は、ワイヤを引っ張ったりあるいは離したりする操作を行うことにより、挿入補助板の先端部が挿入部の先端部から径方向に離れる第２状態と、挿入補助板の先端部が挿入部の先端部の外周面に沿う第１状態との間で挿入補助板を繰り返し動作させて、管腔内での挿入部の推進力を得ている。なお、この内視鏡は、挿入補助板が第２状態になったときに、挿入補助板の先端部によって管腔の内壁を押圧するようになっている。
【０００８】
【先行技術文献】
【特許文献】
【０００９】
【特許文献１】特開２００９−４５１４１号公報
【発明の概要】
【発明が解決しようとする課題】
【００１０】
上述した内視鏡用オーバーチューブを用い、内視鏡の挿入部の先端部による腸管のフッキングを行って挿入部を深部へと挿入させる手技では、先端部によるフッキング力を向上させることは勿論、さらにフッキングが必要なときに、十分なフッキング力を確保することが望ましい。
【００１１】
しかしながら、従来の特許文献１に記載の内視鏡は、そもそも２枚の挿入補助板を用いることで管腔内での挿入部の推進力を得るためのものであって、先端部によるフッキング力を向上させるための構成ではない。
【００１２】
すなわち、このような内視鏡では、２枚の挿入補助板を用いて管腔内の内壁をフッキングしたとしても、これら２枚の挿入補助板は挿入部の先端部に取り付けられたベース筒の外周を挟み込むように配置されており、すなわち、挿入補助板は、周方向全体に配置されていないので、先端部の向きによっては十分なフッキング力を得ることはできない。また、この内視鏡は、２枚の挿入補助板の先端部がベース筒の前端面から軸方向に突出する構成であるため、管腔の内壁を圧迫してしまう虞もある。
【００１３】
このため、この内視鏡は、フッキングが必要なときに、安全にかつ十分なフッキング力を確保することができず、内視鏡用オーバーチューブのバルーンにより腸管を効率良く短縮することができないので、挿入部を円滑に管腔の深部へと挿入することができない虞がある。
【００１４】
そこで、本発明は前記問題点に鑑みてなされたものであり、フッキングを必要とするときに、先端部による腸管のフッキング力を安全にかつ十分に確保することができ、挿入部を深部に円滑に挿入することができる内視鏡用先端キャップ、内視鏡、および内視鏡装置を提供することを目的とする。
【課題を解決するための手段】
【００１５】
本発明における一態様の内視鏡用先端キャップは、管腔に挿入する内視鏡の挿入部の先端側に取り付けられるキャップ本体と、前記キャップ本体の基端側に設けられ、前記挿入部の先端側外周を覆うようにして前記キャップ本体を前記挿入部の先端側に固定する固定部と、前記キャップ本体の先端側に設けられ、前記挿入部の長手方向に沿って前方へ延出して前記挿入部の先端側から突出するとともに前記長手方向に沿って前記前方あるいは後方への移動可能な線状部材と連結する線状部材連結部と、前記キャップ本体の周方向に沿って設けられ、前記線状部材連結部と接続され、前記線状部材が前記挿入部の長手方向に沿って移動する動作に伴って、前記キャップ本体の外周面と前記管腔の内壁との摩擦力が大きくなる状態になるように変形する変形部と、を具備する。
【００１６】
本発明における一態様の内視鏡は、細長い挿入部を備えるとともに、一態様の内視鏡用先端キャップを装着可能な内視鏡であって、前記挿入部の先端部に設けられ、対物レンズと前記挿入部内に設けられたチャンネルに連通する孔とを備えた、前記内視鏡用先端キャップを外周に装着可能な先端部と、前記内視鏡を操作する操作部から前記挿入部の前記先端部まで挿通され、前記操作部の操作により前記挿入部の長手方向に沿って移動する線状部材と、前記線状部材の先端に設けられた、前記内視鏡用先端キャップの前記線状部材連結部と接続する接続部と、を具備する。
【００１７】
本発明における一態様の内視鏡装置は、複数の前記線状連結部と、前記連結部材と同数の複数の線状部材とを有する一態様の内視鏡用先端キャップと、前記複数の線状部材と同数の前記接続部を有するとともに、前記各線状部材を前記挿入部内部で個々に移動させるための複数の進退操作レバーを前記操作部に設けた一態様の内視鏡と、を具備する。
【発明の効果】
【００１８】
本発明によれば、フッキングを必要とするときに、先端部による腸管のフッキング力を安全にかつ十分に確保することができ、挿入部を深部に円滑に挿入することができる内視鏡用先端キャップ、内視鏡、および内視鏡装置を提供することができる。
【図面の簡単な説明】
【００１９】
【図１】本発明の第１の実施形態に係る内視鏡用先端キャップを装着した内視鏡装置全体構成を模式的に示した構成図
【図２】図１のキャップ本体の伸縮部が延出時の状態の内視鏡装置全体構成を模式的に示した構成図
【図３】図１のキャップ本体の伸縮部が通常時の縮んだ状態を示す斜視図
【図４】図１のキャップ本体の伸縮部が延出時の伸びた状態を示す斜視図
【図５】図３のキャップ本体内に設けられた線状部材連結部の具体的な構成を示す斜視図
【図６】図３のキャップ本体の線状部材連結部近傍の構成を示す断面図
【図７】図３の伸縮部の構成を説明するための断面図
【図８】図３の伸縮部を別部材で設けた構成した構成を説明するための断面図
【図９】線状部材の先端に設けられた接続部を挿入部の先端部内に収容した状態を示す先端部の断面図
【図１０】図９に示す状態から線状部材を挿入部の長手方向の先端側に進めて突出させた状態を示す先端部の断面図
【図１１】図９の線状部材および接続部の構成を説明するための斜視図
【図１２】図１１の線状部材および接続部の構成を説明するための断面図
【図１３】第１の実施形態の内視鏡用先端キャップを取り付けた内視鏡および内視鏡用オーバーチューブを用いて腸管のフッキングを行い挿入部を深部へと挿入させる動作例を説明するための説明図
【図１４】本発明の第２の実施形態に係る内視鏡用先端キャップを装着した内視鏡装置全体構成を模式的に示した構成図
【図１５】図１４の拡径部によってキャップ本体に径を拡径させた状態の内視鏡装置全体構成を模式的に示した構成図
【図１６】図１５のキャップ本体の具体的な構成を説明するための斜視図
【図１７】図１６の拡径部を構成する凸状形成部材の具体的な構成を示す斜視図
【図１８】本発明の第３の実施形態に係る内視鏡用先端キャップを装着した内視鏡装置全体構成を模式的に示した構成図
【図１９】図１８の第２の本体が第１の本体から延出したときの状態の内視鏡装置全体構成を模式的に示した構成図
【図２０】図１９のキャップ本体の具体的な構成を説明するための斜視図
【図２１】図２１の第２の本体と第１の本体との係合状態を説明するための断面図
【図２２】本発明の第４の実施形態に係る内視鏡用先端キャップを装着した内視鏡装置全体構成を模式的に示した構成図
【図２３】図２２の第２の本体が第１の本体から延出し、かつ突起部が突出したときの状態の内視鏡装置全体構成を模式的に示した構成図
【図２４】図２３第２の本体および突起部の具体的な構成を説明するための断面図
【図２５】図２４の突起部の変形例１を示す断面図
【図２６】図２４の突起部の変形例２を示す断面図
【図２７】図２４の突起部の変形例３を示す断面図
【図２８】本発明の第５の実施形態に係る内視鏡用先端キャップを装着した内視鏡装置全体構成を模式的に示した構成図
【図２９】図２８のキャップ本体の具体的な構成を示す斜視図
【図３０】図２８の湾曲部を湾曲させ、さらにキャップ本体の屈曲部を湾曲させた状態の動作例を説明する説明図
【発明を実施するための形態】
【００２０】
以下、図面を参照しながら本発明の実施の形態について詳細に説明する。  
（第１の実施形態）  
以下、本発明である内視鏡用先端キャップ、内視鏡、および内視鏡装置について説明する。なお、以下の説明において、各実施の形態に基づく図面は、模式的なものであり、各部分の厚みと幅との関係、それぞれの部分の厚みの比率などは現実のものとは異なることに留意すべきであり、図面の相互間においても互いの寸法の関係や比率が異なる部分が含まれている場合がある。  
先ず、図面に基づいて本発明の実施形態を説明する。図１から図１３は、本発明の第１の実施形態に係り、図１は、本発明の第１の実施形態に係る内視鏡用先端キャップを装着した内視鏡装置全体構成を模式的に示した構成図である。
【００２１】
図１に示すように、本実施の形態の内視鏡装置１は、内視鏡２と、内視鏡用先端キャップ３と、から主に構成されている。  
内視鏡２は、内視鏡用先端キャップ３が装着可能な内視鏡であって、長尺で細長な挿入部６と、操作部７と、図示しないユニバーサルコードと、を有して構成されている。内視鏡２の挿入部６は、先端から順に硬性の先端部８と、湾曲部９と、可撓管部１０と、を有して構成されている。
【００２２】
操作部７の挿入部６側には、折れ止め部１１が設けられ、この折れ止め部１１から挿入部６の可撓管部１０が延設されている。また、挿入部６には、先端部８の先端面の開口から可撓管部１０の手元側までの間において、チャンネル６Ａが設けられている。
【００２３】
操作部７には、湾曲操作ノブ１２および進退操作レバー１３が回動自在に配設されると共に、各種内視鏡機能のスイッチ類１４、１５などが設けられている。  
なお、湾曲操作ノブ１２は、挿入部６の湾曲部９を湾曲操作するためのものである。湾曲操作ノブ１２は、湾曲部９を上下方向に湾曲操作するためのＵＤ湾曲操作ノブ１２ａおよび湾曲部９を左右方向に湾曲操作するためのＲＬ湾曲操作ノブ１２ｂが重畳するように配設されている。
【００２４】
また、進退操作レバー１３は、後述するがキャップ本体３Ａに設けられた変形部３の伸縮部３Ｂ１（図３）を収縮するように線状部材５の進退を操作するためのものである。この進退操作レバー１３は、湾曲操作ノブ１２の回転軸１２ｚに回転可能に軸支されている。
【００２５】
操作部７の進退操作レバー１３の端部には、例えばクランク部材１６の基端部が接続されている。このクランク部材１６の先端部は、線状部材５の基端部が固定された固定部材５ａにピン１６ａにより回動可能に接続されている。線状部材５は、チャンネル６Ａ内に挿通されている。
【００２６】
なお、この線状部材５の後端側は、操作部７内に固定された図示しない摺動ガイド部によって、挿入部６の長手方向（以下、中心軸Ｏ方向として説明することもある）に沿って摺動可能にガイドされる。
【００２７】
したがって、このクランク部材１６および摺動ガイド部（図示せず）は、進退操作レバー１３の回動操作に伴い、線状部材５を、中心軸Ｏ方向の前後方向に移動させることができる。即ち、クランク部材１６および摺動ガイド部（図示せず）は、進退操作レバー１３の回動を、中心軸Ｏ方向の前後における線状部材５の往復運動に変換する機能を有している。なお、進退操作レバー１３の回動を線状部材５の往復運動に変換するための構成は、クランク部材１６および摺動ガイド部（図示せず）等の構成に限定されるものではない。
【００２８】
また、操作部７の湾曲操作ノブ１２の近傍には、送気送水ボタン１４と、吸引ボタン１５と、が設けられている。術者は、この送気送水ボタン１４を操作することにより、送気あるいは送気を行うことができる。また、術者は、吸引ボタン１５を操作することにより、図示しない挿入部６内のチャンネルを介してその先端開口から体液その他の流体を吸引することができる。
【００２９】
なお、図１に示す内視鏡２を備えたシステムにおいて、図示はしないが、ユニバーサルコード、光源装置、ライトガイドバンドル、ビデオプロセッサ、およびモニタ等の周知の内視鏡システムの構成部材および周辺機器が設けられているが、これらの構成部材および周辺機器については、本発明の特徴部分を構成するものではないので、説明を省略する。
【００３０】
本実施形態の内視鏡用先端キャップ３は、図１に示すように、キャップ本体３Ａと、固定部４と、線状部材５と、線状部材連結部３Ｄと、変形部３Ｂと、から主に構成されている。
【００３１】
キャップ本体３Ａは、管腔に挿入する内視鏡２の挿入部６の先端側（先端部８等）に取り付けられる中空形状に形成されたものであり、先端部８の先端側から被せて着脱自在に装着可能である。
【００３２】
固定部４は、キャップ本体３Ａの基端側に設けられ、挿入部６の先端側外周を覆うようにしてキャップ本体３Ａを挿入部６の先端側に固定する。この固定部４は、例えば医療用のテープである。勿論、固定部４は、医療用テープに限定されるものではなく、医療用テープ以外の部材を用いて構成してもよい。例えば、固定部４として弾性のチューブ状部材を用いてキャップ本体３Ａの基端側を挿入部６の先端側に固定してもよい。
【００３３】
線状部材５は、挿入部６の長手方向に延出して挿入部６の先端側から突出するとともに長手方向に進退可能な部材であり、挿入部６のチャンネル６Ａに挿通される。この線状部材５に連結される線状部材連結部３Ｄは、キャップ本体３Ａの先端側に設けられており、線状部材５の先端部をキャップ本体３Ａの先端側内部に係止する。
【００３４】
なお、線状部材５は、例えばパイプあるいは芯入りコイルなどの部材を用いているが、これに限定されるものではなく、挿入部６の長手方向に進退可能であり、線状部材連結部３Ｄを介してキャップ本体３Ａの変形部３Ｂを変形させる部材であればどのような部材を用いてもよい。
【００３５】
変形部３Ｂは、キャップ本体３Ａの周方向に沿って設けられ、線状部材連結部３Ｄと接続し、線状部材５が挿入部６の長手方向に沿って先端側へ押し出される動作に伴って、キャップ本体３Ａの外周面３Ａ１と管腔の内壁との摩擦力が大きくなる状態になるように変形するものである。図２は、図１のキャップ本体の伸縮部が延出時の状態の内視鏡装置全体構成を模式的に示した構成図である。
【００３６】
次に、このようなキャップ本体３Ａの具体的な構成を図３〜図８を用いて説明する。  
なお、図３は、図１のキャップ本体の伸縮部が通常時の縮んだ状態を示す斜視図、図４は、図１のキャップ本体の伸縮部が延出時の伸びた状態を示す斜視図、図５は、図３のキャップ本体内に設けられた線状部材連結部の具体的な構成を示す斜視図、図６は、図３のキャップ本体の線状部材連結部近傍の構成を示す断面図、図７は、図３の伸縮部の構成を説明するための断面図、図８は、図３の伸縮部を別部材で設けた構成した構成を説明するための断面図である。
【００３７】
図３および図４に示すように、キャップ本体３Ａは変形部３Ｂを有し、この変形部３Ｂは、キャップ本体３Ａの長手方向の一部に設けられ、線状部材５が挿入部６の長手方向に進退する動作に伴って、キャップ本体３Ａの外周側において、挿入部６の長手方向に対して伸縮する伸縮部３Ｂ１を有する。
【００３８】
この伸縮部３Ｂ１は、キャップ本体３Ａを構成する先端側本体３Ｃ１と、基端側本体３Ｃ２との間に配置されている。また、先端側本体３Ｃ１と基端側本体３Ｃ２とは別部材で構成されても一体的に構成されてもよい。なお、先端側本体３Ｃ１および基端側本体３Ｃ２は、例えばシリコーン、フッ素などの樹脂を用いて形成されている。
【００３９】
また、この伸縮部３Ｂ１は、キャップ本体３Ａの外周面３Ａ１上に設けられた複数の孔２０を有し、これら複数の孔２０は、伸縮動作に伴って開閉するように変形する。なお、複数の孔２０は、溝形状に形成してもよい。
【００４０】
複数の孔２０の開いたときの開口の形状は、例えば、菱形形状に形成されている。勿論、孔２０の形状は、これに限定されるものではなく、円形状、あるいは多角形状であってもよい。すなわち、複数の孔２０は、その開閉によって管腔の内壁との摩擦力が高くなるような形状であればよい。
【００４１】
また、複数の孔２０は、伸縮部３Ｂ１の外周面上において中心軸０に沿って交互に配置されている。なお、孔２０の数および配置位置は、勿論、これに限定されるものではなく、管腔の腸壁に対して摩擦力が高くなるような数および配置であれば、適宜変更してもよい。
【００４２】
伸縮部３Ｂ１の材質は、例えば、シリコーンゴム等の樹脂部材を用いて形成されている。勿論、伸縮部３Ｂ１の材質は、これに限定されるものではなく、伸縮が自在で、かつある程度の強度がある材質であればよい。
【００４３】
この伸縮部３Ｂ１は、図７に示すように、先端側本体３Ｃ１と基端側本体３Ｃ２とそれぞれに設けられた段部に溶着あるいは接着剤を用いて固定される。  
なお、伸縮部３Ｂ１は、図３に示す状態から、さらに、線状部材５を、挿入部５の長手方向の後ろ方向に移動可能に構成することによって、先端側本体３Ｃ１を同方向に引き寄せて、図７において破線で示すように外周側に突起するように構成してもよい。
【００４４】
また、伸縮部３Ｂ１は、図８に示すように、別部材として設けてもよい。この場合、図８に示すように、取付面の両側に突起部３ｅを有する伸縮部３ＢＸを設け、これら突起部３ｆを、先端側本体３Ｃ１、基端側本体３Ｃ２のそれぞれに設けた固定穴３ｆに嵌合し接着剤等を用いて固定してもよい。
【００４５】
線状部材連結部３Ｄは、図３に示すように、キャップ本体３Ａの先端側、すなわち、先端側本体３Ｃ１内に設けられている。この線状部材連結部３Ｄは、図５および図６に示すように、先端側本体３Ｃ１の内側から中心軸Ｏ側に突出する連結本体部２１を有する。
【００４６】
この連結本体部２１には、線状部材５の先端側に設けられた接続部５Ａを係止するための係止溝２１Ａが形成されている。この係止溝２１Ａは、中心軸Ｏ方向側が開口している。また係止溝２１Ａには、中心軸Ｏ方向に沿って摺動溝２１Ｂが設けられている。
【００４７】
この構成により、線状部材５の先端側に設けられた接続部５Ａを、線状連結部５Ｄを構成する連結本体部２１の係止溝２１Ａに係止すると同時に、線状部材５自体を摺動溝２１Ｂに配置することで、該線状部材５をキャップ本体３Ａに固定することができる（図６参照）。
【００４８】
線状部材５の接続部５Ａは、図９〜図１２に示すように、後述する先端部８の先端側に設けられた開口６Ａ１を塞ぐ蓋部材を構成する係止部本体５Ａ１と、この係止部本体５Ａ１の中心近傍に設けられた接続穴５Ａ２と、係止部本体５Ａ１の線状部材５側の内側に設けられたＯリング５Ｂと、を有する。
【００４９】
係止部本体５Ａ１は、例えば円板状に構成されており、内側の中心近傍に設けられた接続穴５Ａ２には、線状部材５の先端部が嵌入されて溶着あるいは接着剤等によって固定される（図１２参照）。
【００５０】
そして、係止部本体５Ａ１の線状部材５側には、線状部材５を固定した接続穴５Ａ２を囲むようにＯリング５Ｂが設けられている。このＯリング５Ｂは、係止部本体５Ａ１が図９に示すように、先端部８を構成する先端カバー８Ａの先端面に設けられた収容穴８ＡＢに収容した際に、該収容穴８ＡＢの底面の一部と当接することにより、収容穴８ＡＢに配置されるチャンネル６Ａの開口６Ａ１を封止する。
【００５１】
すなわち、本実施形態の内視鏡用先端キャップ３を装着可能な内視鏡２は、先端部８の先端カバー８Ａの先端面に、線状部材５の蓋部材を構成する接続部５Ａを収容可能であり、チャンネル６Ａに連通する開口６Ａ１を備えた収容穴８ＡＢを有している。なお、この収容穴８ＡＢの形状は、線状部材５の接続部５Ａと同形状に形成されている。
【００５２】
このため、この内視鏡２は、内視鏡用先端キャップ３を装着しない場合には、図９に示すように、線状部材５を手元側に移動させて該線状部材５の接続部５Ａを収容穴８ＡＢに嵌合して収容させればよい。
【００５３】
これにより、内視鏡２は、この接続部５Ａの収容穴８ＡＢへの収容によりチャンネル６Ａの開口６Ａ１を封止することができるので、この状態で通常の内視鏡観察を行うことができる。
【００５４】
本実施形態の内視鏡用先端キャップ３は、変形部３Ｂを構成する伸縮部３Ｂ１を有することにより、線状部材５を図１に示すように長手方向の前方向に押し出されれば、伸縮部３Ｂ１の複数の孔２０が開口するため、これら複数の孔２０の開口に管腔の内壁を引き込んで、キャップ本体３Ａの外周面３Ａ１と管腔の内壁との摩擦力を大きくすることができる。
【００５５】
次に、本実施形態の内視鏡用先端キャップ３の作用について図１３を用いて説明する。  
図１３は、第１の実施形態の内視鏡用先端キャップ３を取り付けた内視鏡２、および内視鏡用オーバーチューブを用いて腸管のフッキングを行い、挿入部を深部へと挿入させる動作例を説明するための説明図である。なお、予めキャップ本体３Ａを内視鏡２の挿入部６の先端部８に装着して固定部４にて固定し、線状部材５の接続部５をキャップ本体３Ａ内の線状部材連結部３Ｄを構成する係止溝２１Ａに係止しておく。
【００５６】
いま、本実施形態の内視鏡先端キャップ装置１と、内視鏡用オーバーチューブ４０を用いて、例えば小腸の内視鏡検査を行うものとする。  
このとき、術者は、内視鏡２の挿入部６を内視鏡用オーバーチューブ４０に挿通させた状態で、腸管１００内に挿入させる。
【００５７】
そして、術者は、図１３（ａ）に示すように、腸管１００の途中位置で内視鏡用オーバーチューブ４０のバルーン４１を膨張させることにより、内視鏡用オーバーチューブ４０をこの腸管１００の途中位置で保持させ、この状態にて内視鏡２の挿入部６を腸管１００の深部へと挿入する。
【００５８】
挿入部６を腸管１００内の屈曲部１０１まで挿入させると、術者は、図１３（ｂ）に示すように、湾曲部９を湾曲させ、この湾曲した状態で挿入部６の先端部８に装着されたキャップ本体３Ａにより腸管１００の内壁１００Ａをフッキングする。
【００５９】
このとき、術者は、進退操作レバー１３を図２に示す矢印方向に回動操作する。すると、線状部材５は、クランク部材１６および摺動ガイド部（図示せず）によって、挿入部６の中心軸Ｏ方向の前方向に移動する。
【００６０】
すると、線状部材５の接続部５Ａが係止されている先端キャップ３の先端側本体３Ｃ１は、図４に示すように先端部８の中心軸Ｏ方向の前方向に移動するため、基端側が固定されている変形部３Ｂの伸縮部３Ｂ１が中心軸Ｏ方向に伸びる。
【００６１】
このため、伸縮部３Ｂ１の外周面３Ａ１に設けられた複数の孔２０は大きく開口することになるので、これら複数の孔２０の開口に管腔の内壁を引き込み、キャップ本体３Ａの外周面３Ａ１と腸管１００の内壁１００Ａとの摩擦力を大きくすることができる。
【００６２】
このとき、複数の孔２０は、伸縮部３Ｂ１の外周面３Ａ１上の周方向に沿って設けられているので、先端部８のどのような向きにおいても、確実に伸縮部３Ｂ１の外周面３Ａ１を腸管１００の内壁１００Ａに係止することができる。
【００６３】
なお、キャップ本体３Ａの外周面３Ａ１、つまり伸縮部３Ｂ１の外周面３Ａ１は、突起形状ではなく、凹状の複数の孔２０にて形成されているので、腸管１００の内壁１００Ａとの摩擦力を大きくすることができるが内壁１００Ａを圧迫することなく、安全に保持することができる。  
これにより、内視鏡２の挿入部６の先端側に取り付けられたキャップ本体３Ａにより腸管１００の内壁１００Ａを保持する。
【００６４】
このようにキャップ本体３Ａにより腸管１００の内壁１００Ａを保持し、先端部８を保持した状態で、術者は、図１３（ｃ）に示すように腸管１００の内壁１００Ａをフッキングする。このとき、キャップ本体３Ａの伸縮部３Ｂ１の複数の孔２０により十分に内壁１００Ａを引き込んで保持しているので、効率良くフッキングを行うことができる。
【００６５】
また、フッキングの際に、キャップ本体３Ａの固定部４により該キャップ本体３Ａを挿入部６の先端部８に固定されているので、キャップ本体３Ａが挿入部６の先端部８から外れることもなく、円滑にフッキングを行うことができる。さらに、キャップ本体３Ａには線状部材５が接続されているので、キャップ本体３Ａは挿入部６の長手方向についても位置ずれすることもない。
【００６６】
そして、術者は、図１３（ｃ）に示すように、バルーン４１を収縮された後、キャップ本体３によるフッキング状態を利用して、この内視鏡用オーバーチューブ４０を深部へと進める。  
その後、術者は、図１３（ｄ）に示すように、腸管１００の所望位置にてバルーン４１を膨張させる。
【００６７】
次に、術者は、図１３（ｅ）に示すように、湾曲部９を非湾曲状態にしてキャップ本体３によるフッキングを解除する。この場合、術者は、進退操作レバー１３を図２に示す矢印方向とは逆方向に回動操作する。すると、線状部材５は、クランク部材１６および摺動ガイド部（図示せず）によって、挿入部６の中心軸Ｏ方向の後ろ方向に移動する。
【００６８】
すると、先端キャップ３の先端側本体３Ｃ１は、図３に示すように先端部８の中心軸Ｏ方向の後方向に移動するため、伸縮部３Ｂ１が中心軸Ｏ方向に縮む。このため、伸縮部３Ｂ１の外周面３Ａ１に設けられた複数の孔２０の開口が閉じられることにより、腸管１００の内壁１００Ａの保持状態は解除される。
【００６９】
その後、術者は、図１３（ｆ）に示すように、バルーン４１の膨張により腸管１００の内壁１００Ａに保持された状態の内視鏡用オーバーチューブ４０と内視鏡２の挿入部６とを引き戻すことにより、腸管１００を短縮させる。このような動作を繰り替えし行うことにより、内視鏡２を腸内深部へと円滑に挿入させることができる。
【００７０】
また、本実施形態の内視鏡用先端キャップ３は、術者が進退操作レバー１３を回動操作すれば伸縮部３Ｂ１を伸縮させることができるので、必要なときのみに簡単な操作でフッキングを行うことができる。
【００７１】
したがって、上述したように第１の実施形態によれば、フッキングを必要とするときに、先端部８による腸管１００のフッキング力を安全にかつ十分に確保することができ、挿入部６を深部に円滑に挿入することができる内視鏡用先端キャップ３、内視鏡２、および内視鏡装置１を実現できる。
【００７２】
（第２の実施形態）  
図１４〜図１７は、本発明の第２の実施形態に係り、図１４は、第２の実施形態に係る内視鏡用先端キャップを装着した内視鏡装置全体構成を模式的に示した構成図、図１５は、図１４の拡径部によってキャップ本体に径を拡径させた状態の内視鏡装置全体構成を模式的に示した構成図、図１６は、図１５のキャップ本体の具体的な構成を説明するための斜視図、図１７は、図１６の拡径部を構成する凸状形成部材の具体的な構成を示す斜視図である。  
なお、図１４〜１７は、第１の実施形態に装置と同様な構成要素については同一の符号を付して説明を省略し、異なる部分のみを説明する。
【００７３】
第１の実施形態のキャップ本体３Ａの変形部３Ｂを構成する伸縮部３Ｂ１は、挿入部６の長手方向に伸縮自在で、表面に複数の孔２０を有して構成したが、第２の実施形態のキャップ本体３０の伸縮部３Ｂ１は、キャップ本体３０の径が拡径する拡径部３Ｂ２を有して構成されている。
【００７４】
具体的には、図１４〜図１６に示すように、キャップ本体３０の伸縮部３Ｂ１は、拡径部３Ｂ２を有する。この拡径部３Ｂ２は、伸縮部３Ｂ１の伸縮動作に伴って、キャップ本体３０の外径を拡大させた状態と、キャップ本体３０の外径を基準の状態に戻した状態との間で変形するように動作するものである。なお、キャップ本体３０の外径を基準の状態に戻した状態とは、キャップ本体３０自体の外径に相当する状態を意味する。
【００７５】
また、この拡径部３Ｂ２は、この拡径部３Ｂ２を変形させるための複数の凸状形成部材２２を有して構成される。  
これら複数の凸状形成部材２２は、例えば図１７（ａ）に示すように板状のばね部材を用いて構成される。この板状のばね部材２２は、図１６に示すように、先端側本体３Ｃ１と基端側本体３Ｃ２との間に複数設けられている。
【００７６】
この場合、ばね部材２２は、このばね部材２２の両端側に設けられた係止部２２ａ（図１７（ａ）参照）を、それぞれ先端側本体３Ｃ１、基端側本体３Ｃ２に係止して固定する。このようにして複数のばね部材２２は、拡径部３Ｂ２を構成する外皮３０ｘの内部に沿うように配置される。
【００７７】
なお、本実施形態において、ばね部材２２は、例えば、キャップ本体３０の周方向に４つ設けたが、これに限定されるものではなく、必要に応じて４つよりも多く設けて構成してもよい。
【００７８】
また、凸状形成部材２２は、ばね部材に限らず、例えば、図１７（ｂ）に示すように、２枚の板状のリンク部材２２Ａを用いて構成してもよい。この場合、２枚の板状リンク部材２２Ａは、蝶番などの回動部材２２Ｂを用いて構成することにより、拡径部３Ｂ２として作用する。
【００７９】
このような構成により、拡径部３Ｂ２は、線状部材５を、図１４に示すように挿入部６の長手方向の後ろ方向（図中に示すＡ矢印方向）に移動させることにより、線状部材５の接続部５Ａが係止される先端側本体３Ｃ１を線状部材５の移動方向と同じ方向に引き寄せて、複数のばね部材２２をキャップ本体３０の外側方向に変形させる。
【００８０】
すなわち、拡径部３Ｂ２は、図１５及び図１６に示すように、複数のばね部材２２の変形に伴って、これら複数のばね部材２２の外側に配置されているキャップ本体３０の外皮３０ｘがキャップ本体３０の径が拡径するように変形する。
【００８１】
このため、このようにキャップ本体３０の拡径部３Ｂ２を拡径すれば、キャップ本体３０の外周面３０Ａと、腸管の内壁との摩擦力を大きくすることができるので、内壁を圧迫することなく、安全に保持することができ、よって、十分なフッキング力が得られる。
【００８２】
一方、図１５および図１６に示す拡径状態の拡径部３Ｂ２をもとに戻す場合には、術者は、進退操作レバー１３を回動操作して、線状部材５を、図１５に示すように挿入部６の長手方向の前方向（図中に示すＢ矢印方向）に移動させる。
【００８３】
これにより、拡径部３Ｂ２は、先端側本体３Ｃ１が線状部材５の移動方向と同じ前方向に押し出されると同時にばね部材２２の弾性力によって、複数のばね部材２２が平板状となり、これに伴いキャップ本体３０の径が通常の径となるようにキャップ本体３０の外皮３０ｘが変形される（図１４参照）。
【００８４】
なお、本実施形態のキャップ本体３０は、上述したように拡径部３Ｂ２を拡径させる場合には線状部材５を挿入部６の長手方向の後ろ方向（図１４のＡ矢印方向）に移動させ、拡径部３Ｂ２を元の状態に戻す場合には線状部材５を挿入部６の長手方向の前方向（図１５のＢ矢印方向）に移動させる。すなわち、本実施形態のキャップ本体３０は、第１の実施形態のキャップ本体３Ａに対し、進退操作レバー１３の回動操作方向が逆方向となっている。
【００８５】
このため、本実施形態の内視鏡用先端キャップ３を装着した内視鏡を用いて手技を行う場合には、術者は、第１の実施形態とは逆方向で進退操作レバー１３を操作すればよい。  
その他の構成および作用は第１の実施形態と同様である。
【００８６】
したがって、第２の実施形態によれば、キャップ本体３０の変形部３Ｂを構成する伸縮部３Ｂ１に拡径部３Ｂ２を設けて構成した場合でも、第１の実施形態と同様の効果を得ることができる。
【００８７】
（第３の実施形態）  
図１８〜図２１は、本発明の第３の実施形態に係り、図１８は、第３の実施形態に係る内視鏡用先端キャップを装着した内視鏡装置全体構成を模式的に示した構成図、図１９は、図１８の第２の本体が第１の本体から延出したときの状態の内視鏡装置全体構成を模式的に示した構成図、図２０は、図１９のキャップ本体の具体的な構成を説明するための斜視図、図２１は、図２０の第２の本体と第１の本体との係合状態を説明するための断面図である。  
なお、図１８〜図２１は、第１の実施形態に装置と同様な構成要素については同一の符号を付して説明を省略し、異なる部分のみを説明する。
【００８８】
第１の実施形態のキャップ本体３Ａは、同径の先端側本体３Ｃ１、基端側本体３Ｃ２の各部材の間に伸縮部３Ｂ１１を介在するように組み合わせて構成したが、第３の実施形態のキャップ本体３０Ａは、第１の本体３０Ｂと、この第１の本体３０Ｂよりも径が小さく内部に摺動可能に装着される第２の本体３０Ｃとを用いて構成している。
【００８９】
具体的には、図１８および図１９に示すように、内視鏡用先端キャップ３は、キャップ本体３０Ａと、固定部４と、線状部材５と、線状部材連結部３Ｄと、変形部３Ｂと、から主に構成されている。  
キャップ本体３０Ａは、第１の本体３０Ｂと、第２の本体３０Ｃとを有する。第１の本体３０Ｂは、挿入部６の先端部８に取り付けられるもので、挿入部６の先端部８の先端側から被せることが可能な中空状に形成された筒部材であり、例えば、シリコーンゴム等の樹脂部材を用いて形成されている。
【００９０】
第２の本体３０Ｃは、第１の本体３０Ｂ内部に挿入部６の長手方向に進退可能に装着され、線状部材５が挿入部６の長手方向に進退することにより、第１の本体３０Ｂの先端側から延出し、または第１の本体３０Ｂの内部に収容可能に構成されている。
【００９１】
この第２の本体３０Ｃは、第１の本体３０Ｂと同様に、中空状に形成された筒部材であり、例えば、シリコーンゴム等の樹脂部材を用いて形成されている。また、第２の本体３０Ｃの内部には線状部材連結部３Ｄが設けられており、この線状部材連結部３Ｄを介して線状部材５の接続部５Ａが固定されている  
また、第２の本体３０Ｃの外周面３０Ｃａに変形部３Ｂを構成する複数の孔２０Ａが設けられている。  
なお、変形部３Ｂは、第２の本体３０Ｃを含み、この第２の本体３０Ｃに受けられた複数の孔２０Ａで構成されている。これら複数の孔２０Ａは、凹状に形成された溝であってもよい。
【００９２】
また、第２の本体３０Ｃの基端側端部には、図２１に示すように、突起部３０Ｃ１が設けられており、この突起部３０Ｃ１は、第１の本体３０Ｂの先端側内周面に設けられた係止溝３０Ｂ１に係止される。  
これにより、第２の本体３０Ｃの挿入部６の長手方向の前方向における移動を規制して、該第２本体３０Ｃの第１の本体３０Ｂからの脱落を防止している。
【００９３】
本実施形態において、キャップ本体３０Ａの第２の本体３０Ｃを延出させて複数の孔２０Ａを用いて腸管の内壁を保持してフッキングを行う場合、術者は、前記第１の実施形態度同様に進退操作レバー１３を図２に示す矢印方向に回動操作する。
【００９４】
すると、線状部材５は、挿入部６の中心軸Ｏ方向の前方向に移動するので、線状部材５の接続部５Ａが係止されている第２の本体３０Ｃは、図１９および図２０に示すように挿入部６の長手方向の前方向に移動して、第１の本体３０Ｂの先端側から延出する。
【００９５】
このため、第２の本体３０Ｃの外周面３０Ｃａに設けられた複数の孔２０Ａは露出することになるので、これら複数の孔２０Ａの開口に管腔の内壁を引き込み、第２の本体３０Ｃの外周面３０Ｃａと腸管の内壁との摩擦力を大きくすることができる。
【００９６】
このとき、複数の孔２０Ａは、第２の本体３０Ｃの外周面３０Ｃａ上の周方向に沿って設けられているので、先端部８のどのような向きにおいても、確実に第２の本体３０Ｃの外周面３０Ｃａを腸管の内壁に係止することができる。
【００９７】
これにより、変形部３Ｂを構成する伸縮部が、第２の本体３０Ｃと、この第２の本体３０Ｃの外周面３０Ｃａに設けられた凹状の複数の孔２０Ａとによって形成されているので、腸管の内壁１００Ａとの摩擦力を大きくすることができると同時に内壁を圧迫することなく、安全に保持して内壁を十分にフッキングすることができる。  
その他の構成および作用は、第１の実施形態と同様である。
【００９８】
従って、第３の実施形態によれば、キャップ本体３０Ａを、第１の本体３０Ｂと、この第１の本体３０Ｂが延出可能な第２の本体３０Ｃとで構成し、第２の本体３０Ｃの外周面３０Ｃａに複数の孔２０Ａを設けて構成した場合でも、第１の実施形態と同様の効果が得られる。  
また、第１の本体３０Ｂに伸縮部３Ｂ１を設けずに該第１の本体３０Ｂを構成することができるので、製造工程を簡略化できるといった効果が得られる。
【００９９】
（第４の実施形態）  
図２２〜図２７は、本発明の第４の実施形態に係り、図２２は、第４の実施形態に係る内視鏡用先端キャップを装着した内視鏡装置全体構成を模式的に示した構成図、図２３は、図２２の第２の本体が第１の本体から延出し、かつ突起部が突出したときの状態の内視鏡装置全体構成を模式的に示した構成図、図２４は、図２３の第２の本体および突起部の具体的な構成を説明するための断面図、図２５は、図２４の突起部の変形例１を示す断面図、図２６は、図２４の突起部の変形例２を示す断面図、図２７は、図２４の突起部の変形例３を示す断面図である。  
なお、図２２〜図２７は、第３の実施形態に装置と同様な構成要素については同一の符号を付して説明を省略し、異なる部分のみを説明する。
【０１００】
第３の実施形態に係るキャップ本体３０Ａの第２の本体３０Ｃは、外周面３０Ｃａに複数の孔２０Ａを設けて構成したが、第４の実施形態に係るキャップ本体３１Ａの第２の本体３１Ｃは、外周面３１Ｃａ上に突起する複数の突起部４２と、これら複数の突起部４２を収容する複数の収容部３１Ｃ１とを有して構成している。
【０１０１】
具体的には、図２２および図２３に示すように、キャップ本体３１Ａは、前記第３の実施形態のキャップ本体３０Ａと略同様に構成されている。  
そして、キャップ本体３１Ａは変形部３Ｂを有し、この変形部３Ｂは、図２３および図２４に示すように、第２の本体３１Ｃの外周面３１Ｃａに設けられた複数の突起部４２である。
【０１０２】
また、第２の本体３１Ｃは、図２２に示すように、この第２の本体３１Ｃが第１の本体３１Ｂ内に収容されたときに、第２の本体３１Ｃの外周面３１Ｃａが平面となるように複数の突起部４２をそれぞれ収納する複数の突起収容部３１Ｃ１を有する（図２４参照）。
【０１０３】
複数の突起部４２は、例えば、図２４に示すように、先端側が内壁に接触しても安全な円弧形状に形成された部材であって、下部が有底の収容部３１Ｃ１内に設けられたばね部材２３に固定されている。このばね部材２３は、突起部４２を常に第２の本体３１の外側方向に付勢している。
【０１０４】
なお、突起部４２は、図２４に示すように、外周面３１Ｃａから突出しているときには、突起部４２の下部が収容部３１Ｃ１の開口近傍に設けられた係止部に係止されることにより、収容部３１Ｃ１から外れないようになっている。
【０１０５】
なお、複数の突起部４２および複数の収容部３１Ｃ１は、第２の本体３１Ｃの外周面３１Ｃａ上の周方向に沿って、例えばそれぞれ８個設けられているが、これに限定されることはなく、必要に応じて数を増やしてもよい。
【０１０６】
また、突起部４２は、図２５の変形例１に示すように、球形状の突起部４２Ａとして構成してもよい。この場合、この突起部４２Ａは、収容部３１Ｃ１の開口から外側方向にある程度突出すると同時に、該収容部３１Ｃ１の開口よりも大きな径で構成して外れないように構成することが望ましい。
【０１０７】
また、突起部４２は、図２６の変形例２に示すように、四角形状の突起部４２Ｂとして構成してもよいが、内壁への接触状態を考慮すれば、先端部を円弧形状に形成することが望ましい。
【０１０８】
さらに、突起部４２は、図２７（ａ）、図２７（ｂ）に示すように、ばね部材２３を用いずに、第２本体３１Ｂと一体的に形成された羽根状の突起部４２Ｃとして構成してもよい。この場合、突起部４２Ｃは、この突起部４２Ｃ自体が弾性力を有しており、このため、第２の本体３１Ｃが第１の本体３１Ｂから延出した際には、その弾性力によって、第２の本体３１Ｃの収容部３１Ｃ１から外周面３１Ｃａの外側方向へと突出するようになっている（図２７（ｂ）参照）。  
なお、これら複数の羽根状の突起部４２Ｃの先端部は、前記同様、極力円弧形状に形成することが望ましい。  
その他の構成は、第３の実施形態と同様である。
【０１０９】
本実施形態のキャップ本体３１Ａは、第２の本体３１Ｂが第１の本体３１Ｂから挿入部６の長手方向の前方向に延出すると、第２の本体３１Ｃの外周面３１Ｃａに設けられた複数の突起部４２が各収容部３１Ｃ１から突出して露出することになるので、これら複数の突起部４２が管腔の内壁を押圧して、第２の本体３０Ｃの外周面３１Ｃａと腸管の内壁との摩擦力を大きくすることができる。
【０１１０】
これにより、変形部３Ｂを構成する複数の突起部４２によって、腸管の内壁との摩擦力を大きくすることができると同時に、複数の突起部４２の先端部が円弧形状に形成されているので、安全に内壁を保持して十分にフッキングすることができる。  
従って、第４の実施形態によれば、第２の本体３１Ｃの外周面３１Ｃａ状に複数の突起部４２および複数の収容部３１Ｃ１を設けて構成した場合でも、第３の実施形態と同様の効果が得られる。
【０１１１】
また、フッキングを行うために第２の本体３１Ｃを第１の本体３１Ｂから延出したときに、ばね部材２３によって確実に突起部４２が突出するので、十分なフッキング力が得られることは勿論である。
【０１１２】
（第５の実施形態）  
図２８〜図３０は、本発明の第５の実施形態に係り、図２８は、第５の実施形態に内視鏡用先端キャップを装着した内視鏡装置全体構成を模式的に示した構成図、図２９は、図２８のキャップ本体の具体的な構成を示す斜視図、図３０は、図２８の湾曲部を湾曲させ、さらにキャップ本体の屈曲部を湾曲させた状態の動作例を説明する説明図である。  
なお、図２８〜図３０は、第３の実施形態に装置と同様な構成要素については同一の符号を付して説明を省略し、異なる部分のみを説明する。
【０１１３】
第５の実施形態に係るキャップ本体３２Ａは、図１８に示す第３の実施形態のキャップ本体３０Ａと略同様に構成されるが、さらに、第１の本体３０Ｂの先端側に第２の線状部材５０と連結する第２の線状部材連結部３０Ｄを設けるとともに、第１の本体３０Ｂに湾曲可能な湾曲部３０Ｂ３を設けて構成している。
【０１１４】
具体的には、図２８および図２９に示すように、第１〜第４の実施形態と同様の線状部材５および接続部５Ａが設けられ、これとは別に、さらにもう１系統の線状部材連結部３Ｄと略同様の第２の線状部材連結部３０Ｄが第１の本体３０Ｂの先端側に設けられている。この第２の線状部材連結部３０Ｄには、第２の線状部材５０の先端部に設けられた接続部５０Ａが係止される。
【０１１５】
この第２の線状部材５０は、線状部材５と同様に挿入部６内の他の処置具チャンネル６Ｂに挿通されており、基端側が操作部７に設けられた先端キャップ湾曲リング５１の進退接続部（図示せず）に接続されている。すなわち、この先端キャップ湾曲リング５１を回動操作することにより、図示しない進退接続部を介して第２の線状部材５０を挿入部６の長手方向に進退させることができるようになっている。
【０１１６】
また、図２９に示すように、第１の本体３０Ｂは、湾曲部３０Ｂ３を有する。この湾曲部３０Ｂ３は、第２の線状部材５０が挿入部６の長手方向に進退する動作に伴って、第１の本体３０Ｂが挿入部６の長手方向に対して屈曲するように湾曲するものである。
【０１１７】
この湾曲部３０Ｂ３は、第１の本体３０Ｂを構成する先端側本体３０Ｂ１と、基端側本体３０Ｂ２との間に配設されており、例えば外皮が蛇腹状に形成されることにより、自在に変形可能である。このため、湾曲部３０Ｂ３の長手方向に対する折れを防ぐために、この湾曲部３０Ｂ３の内部には、複数の板状の支持部材４９が設けられている。これら複数の板状の支持部材４９は、湾曲部３０Ｂ３内部において、先端側本体３０Ｂ１と基端側本体３０Ｂとに接続される。
【０１１８】
なお、支持部材４９の数は、図２９に示すように２枚であるが、これに限定されるものではなく、屈曲部３０Ｂ３の長手方向に対する折れを防止できると同時に湾曲可能である数を設ければよい。
【０１１９】
したがって、このような構成によれば、第２の線状部材５０を、挿入部６の長手方向の前方向に移動させれば、湾曲部３０Ｂ３の屈曲により、第１の本体３０Ｂを、第２の線状部材連結部３０Ｄとは対向する方向（本実施形態では図２９中の上方向）に湾曲させることができる。  
さらに、第３の実施形態と同様に線状部材５を同じ方向に移動させることにより、第２の本体３０Ｃを第１の本体３０Ｂから延出させることができる（図３０参照）。
【０１２０】
なお、第１の本体３０Ｂの湾曲方向は１方向となるが、必要に応じて第２の線状部材５０を、湾曲させたい方向に応じて複数の線状部材を設けて構成すれば、第２の本体３０Ｂを、上下方向、および左右方向に湾曲させることも可能である。
【０１２１】
また、第１の本体３０Ｂから第２の本体３０Ｃの延出する寸法Ｌ１は、例えば０．５〜１．５ｃｍとなるように設定することが望ましい。勿論この数値に限定されるものではなく、適宜設定変更可能である。
【０１２２】
したがって、このような構成によれば、内視鏡２の湾曲部９の湾曲動作の他に、キャップ本体３２Ａの屈曲部３０Ｂ３により第１の本体３０Ｂを湾曲させることにより、より確実に腸壁の内壁を保持することができる。
【０１２３】
さらに、第３の実施形態と同様に第２の本体３０Ｃが第１の本体３０Ｂから延出して複数の孔２０Ａを露出させることにより、腸管の内壁との摩擦力を高くすることができるので、より強く腸壁の内壁を保持して十分なフッキング力を得ることができる。
【０１２４】
なお、第２の本体３０Ｃの外周面３０Ｃａは、複数の孔２０Ａの代わりに、第４の実施形態のように複数の突起部４２および収容部３１Ｃ１を設けて構成してもよい。  
その他の構成は第３の実施形態と同様である。
【０１２５】
従って、第５の実施形態によれば、変形部３Ｂを構成する第２の本体３０Ｃを第１の本体３０Ｂから延出できると同時に、屈曲部３０Ｂ３により第１の本体３０Ｂを湾曲させることができるので、より確実にかつ安全に腸壁の内壁を保持してフッキングを行うことができる。その他の効果は第３の実施形態と同様である。
【０１２６】
なお、前記したように各実施形態にて用いられる内視鏡２は、細長い挿入部６を備えるとともに、内視鏡用先端キャップ３を装着可能な内視鏡であって、挿入部６の先端部８に設けられ、対物レンズと挿入部６内に設けられたチャンネル６Ａに連通する孔とを備えた、内視鏡用先端キャップ３を外周に装着可能な先端部８と、内視鏡２を操作する操作部７から挿入部６の先端部８まで挿通され、操作部７の操作により挿入部６の長手方向に進退する線状部材５と、線状部材５の先端に設けられた、内視鏡用先端キャップ３の線状部材連結部３Ｄと接続する接続部５Ａと、を有して構成されるが、これに限定されるものではない。
【０１２７】
本発明は、上述した実施形態及び変形例に限定されるものではなく、本発明の要旨を変えない範囲において、種々の変更、改変等が可能である。
【符号の説明】
【０１２８】
１…内視鏡装置
２…内視鏡
３…内視鏡用先端キャップ
３Ａ… キャップ本体
３Ａ１…外周面
３Ｂ…変形部
３Ｂ１…伸縮部
３Ｂ２…拡径部
３Ｃ１…先端側本体
３Ｃ２…基端側本体
３Ｄ…線状部材連結部
４…固定部
５…線状部材
５Ａ…接続部
６…挿入部
６Ａ…チャンネル
６Ａ１…開口
７…操作部
８…先端部
８Ａ…先端カバー
８ＡＢ…収容穴
９…湾曲部
１０…可撓管部
１２…湾曲操作ノブ
１３…進退操作レバー
１４…送気送水ボタン
１５…吸引ボタン
１６…クランク部材
１６ａ…ピン
２０、２０Ａ…孔
２１…連結本体部
２１Ａ…係止溝
２１Ｂ…摺動溝
２２…凸状形成部材
２２Ａ…板状リンク部材
２２Ｂ…回動部材
３０…キャップ本体
３０Ｃａ…外周面
３０Ｄ…線状部材連結部
３０ｃａ…外周面
３０ｘ…外皮
３１Ａ…キャップ本体
３１Ｃ１…収容部
３１Ｃａ…外周面
【図１】
2014108172.tif 000003
【図２】
2014108172.tif 000004
【図３】
2014108172.tif 000005
【図４】
2014108172.tif 000006
【図５】
2014108172.tif 000007
【図６】
2014108172.tif 000008
【図７】
2014108172.tif 000009
【図８】
2014108172.tif 000010
【図９】
2014108172.tif 000011
【図１０】
2014108172.tif 000012
【図１１】
2014108172.tif 000013
【図１２】
2014108172.tif 000014
【図１３】
2014108172.tif 000015
【図１４】
2014108172.tif 000016
【図１５】
2014108172.tif 000017
【図１６】
2014108172.tif 000018
【図１７】
2014108172.tif 000019
【図１８】
2014108172.tif 000020
【図１９】
2014108172.tif 000021
【図２０】
2014108172.tif 000022
【図２１】
2014108172.tif 000023
【図２２】
2014108172.tif 000024
【図２３】
2014108172.tif 000025
【図２４】
2014108172.tif 000026
【図２５】
2014108172.tif 000027
【図２６】
2014108172.tif 000028
【図２７】
2014108172.tif 000029
【図２８】
2014108172.tif 000030
【図２９】
2014108172.tif 000031
【図３０】
2014108172.tif 000032